(57)【特許請求の範囲】
【請求項１】
ディスクトレイ飾り板と、コイルスプリングと、ディスクトレイと、筐体から構成され、ディスクトレイ飾り板は後面部と軸部を有し、コイルスプリングはディスクトレイ飾り板の軸部に設けたスプリングストッパとディスクトレイの内壁部の間に装填されてディスクトレイ飾り板をディスクトレイに押圧し、ディスクトレイはその上部にディスクを積載しスライド運動してディスクを搬送し、筐体は前面部に凹部を設け、ディスクトレイを筐体に収納した時、ディスクトレイ飾り板の後面部が筐体の凹部に当接するようにしてなるディスク再生装置において、
ディスクトレイ飾り板の後面部の下側に凸部を設け、
ディスクトレイの前記凸部に対応する位置に凸部当接部を設け、
ディスクトレイを筐体から引き出した時、コイルスプリングの押圧力により前記凸部が前記凸部当接部に常時当接するようにしたことを特徴とするディスク再生装置。
【発明の詳細な説明】
【０００１】
【発明の属する技術分野】
本発明はディスク再生装置に関し、特にディスクを搬送して筐体から取り出し或いは装填するディスクトレイの前面に配置されるディスクトレイ飾り板を有するディスク再生装置に関するものである。
【０００２】
【従来の技術】
従来から知られているディスク再生装置を図４及び図５を用いて説明する。図４はディスク再生装置の従来例を示す図で、ディスクトレイ３を筐体５に収納した状態を、図５はディスクトレイ３を筐体５から引き出した状態を示す図である。従来例のディスク再生装置は、ディスクトレイ飾り板１と、コイルスプリング２と、ディスクトレイ３と、筐体５と、から構成されている。ディスクトレイ飾り板１は、後面部１ａと軸部１ｂを有し、ディスクトレイ３が出入りする窓部からディスク再生装置の内部へ塵などが侵入することを防ぐと共に、ディスクトレイ３の前面に配置されて外観部品として機能するものである。コイルスプリング２は、ディスクトレイ飾り板１の軸部１ｂに設けたスプリングストッパとディスクトレイ３の内壁部３ａの間に装填され、ディスクトレイ飾り板１を図面の右方向に付勢して、ディスクトレイ飾り板１をディスクトレイ３に押圧して装備するためのものである。ディスクトレイ３は、その上部にディスク４を積載しスライド運動することにより、ディスク４を搬送して筐体５から取り出し或いは筐体５に装填するものである。筐体５は、これらと、ディスクトレイ３をスライド運動させる機械部分を収容するものであり、その前面部に凹部５ａを設けている。
【０００３】
【発明が解決しようとする課題】
図４に示すように、ディスクトレイ３が筐体５内に収納されデイスク４が筐体５に装填されている時は、ディスクトレイ飾り板１の後面部１ａは筐体５の前面部に設けた凹部５ａの奥部に当接して、ディスクトレイ飾り板１はディスクトレイ３と若干の距離ｌを置く浮いた状態になる。その状態では、その距離ｌ分だけコイルスプリング２を圧縮するので、ディスクトレイ飾り板１の後面部１ａは筐体５の前面部に設けた凹部５ａの奥部に強く当接し、ディスクトレイ３が出入りする窓部をしっかりと塞ぐので、この窓部からディスク再生装置の内部へ塵などが侵入することを防止する。
【０００４】
しかし、図５に示すように、ディスクトレイ３が筐体５から引き出されデイスク４が筐体５から取り出し可能になっている時は、ディスクトレイ飾り板１の後面部１ａと筐体５の前面部に設けた凹部５ａの奥部との当接が無くなるので、ディスクトレイ飾り板１をディスクトレイ３にほぼ距離ｌ分近づけることになる。その際、コイルスプリング２は伸張しその圧縮力は小さくなるので、ディスクトレイ飾り板１が自重により下降し、ディスクトレイ３に対して下側に傾いてしまう。そのため見栄えが悪くなり、ディスクトレイ飾り板１の外観部品としての機能を損ねるという問題があった。それを防ぐためにコイルスプリング２の圧縮力を強くすることも考えられる。しかし、コイルスプリング２の圧縮力を強くすると、ディスクトレイ３を筐体５内に収納する場合、ディスクトレイ飾り板１の後面部１ａが筐体５の前面部に設けた凹部５ａの奥部に当接した後、コイルスプリング２の強い圧縮力に抗してコイルスプリング２を圧縮し、ディスクトレイ３を筐体５内に引き込む必要が生ずる。そのためには、ディスクトレイ３を引き込む力を強くする必要が発生し、その駆動源であるモーター等を大きくする対応が必要であり、コストアップになってしまうという課題があった。
【０００５】
本発明は、前述した課題を解決するためになされたものであり、コストをアップすること無く、ディスクトレイ飾り板１の外観部品としての機能を維持することを目的とする。
【０００６】
【課題を解決するための手段】
前述した課題を解決するために、
請求項１の記載に係る発明では、
ディスクトレイ飾り板と、コイルスプリングと、ディスクトレイと、筐体から構成され、ディスクトレイ飾り板は後面部と軸部を有し、コイルスプリングはディスクトレイ飾り板の軸部に設けたスプリングストッパとディスクトレイの内壁部の間に装填されてディスクトレイ飾り板をディスクトレイに押圧し、ディスクトレイはその上部にディスクを積載しスライド運動してディスクを搬送し、筐体は前面部に凹部を設け、ディスクトレイを筐体に収納した時、ディスクトレイ飾り板の後面部が筐体の凹部に当接するようにしてなるディスク再生装置において、ディスクトレイ飾り板の後面部の下側に凸部を設け、ディスクトレイの前記凸部に対応する位置に凸部当接部を設け、ディスクトレイを筐体から引き出した時、コイルスプリングの押圧力により前記凸部が前記凸部当接部に常時当接するようにしたことを特徴とする。
【０００７】
【発明の実施の形態】
本発明のディスク再生装置の実施例を、図１〜図３を用いて説明する。図１は本発明のディスク再生装置、図２は図１においてディスクトレイ３を引き出した状態、図３は図１、図２のディスクトレイ飾り板部分を拡大して示す図である。図中で従来例と同じ符号は同一の構成要素を表す。
【０００８】
本発明のディスク再生装置は、ディスクトレイ飾り板１の後面部１ａの下側に半球形状或いはそれに類似した形状の凸部１ｃを設けると共に、ディスクトレイ３の凸部１ｃに対応する位置に凸部当接部３ａを設け、ディスクトレイ３を筐体５から引き出しデイスク４を筐体５から取り出し可能になった時は、コイルスプリング２の押圧力により凸部１ｃが凸部当接部３ａに常時当接するようにしたものである。このようにすることにより、ディスクトレイ飾り板１が自重により下降してディスクトレイ３に対して下側に傾くことを防止している。
【０００９】
【発明の効果】
以上述べたように、本発明によれば、コストをアップすること無く、ディスクトレイ飾り板１の外観部品としての機能を維持することが出来るという効果がある。
【図面の簡単な説明】
【図１】本発明のディスク再生装置の実施例を示す図である。
【図２】図１においてディスクトレイ３を引き出した状態を示す図である。
【図３】図１、図２のディスクトレイ飾り板部分を拡大して示す図である。
【図４】ディスク再生装置の従来例を示す図である。
【図５】図４においてディスクトレイ３を引き出した状態を示す図である。
【符号の説明】
１    ディスクトレイ飾り板
１ａ  ディスクトレイ飾り板の後面部
１ｂ  ディスクトレイ飾り板の軸部
１ｃ  ディスクトレイ飾り板の凸部
２    コイルスプリング
３    ディスクトレイ
３ａ  ディスクトレイの凸部当接部
４    デイスク
５    筐体
５ａ  筐体の凹部
【図１】
0003973955.tif 000002
【図２】
0003973955.tif 000003
【図３】
0003973955.tif 000004
【図４】
0003973955.tif 000005
【図５】
0003973955.tif 000006